(57)【特許請求の範囲】
【請求項１】
車台と、肘掛部とを含む肘掛歩行器であって、
前記車台は、車輪と、支持パイプ部とを有しており、
前記肘掛部は、左右一対の肘掛と、左右一対のグリップ部と、左右一対の共通支持台とを有し、前記車台の上部に設けられており、
前記一対の肘掛は、上向きに窪んだ凹部を有し、該グリップ部の進行方向後方に設けられており、
前記一対の共通支持台は、管状部分と、挿入ロッド部とを有し、前記肘掛及びグリップ部の双方を支持しており、
前記管状部分は、前記一対の肘掛の下部に取り付けられており、
前記挿入ロッド部は、前記管状部分に対して一端が交差する関係で取り付けられ、前記支持パイプ部に対して他端が挿入されており、さらに、前記管状部分との交差角度を変更し上下に首振りしうる構成と、前記管状部分を挿入ロッド部の軸芯周りに回転させ左右に首振しうる構成とを備えている、
肘掛歩行器。
【請求項２】
前記一対のグリップ部は、対応する前記一対の肘掛に対して、該肘掛における前記凹部の延長方向に沿ってスライド可能である、
請求項１に記載の肘掛歩行器。
【請求項３】
請求項１又は２に記載された肘掛歩行器であって、さらに第１の調整ねじと、第２の調整ねじとを含み、
前記第１の調整ねじは、前記挿入ロッド部と前記管状部分との取り付け部分において、前記上下の首振り動作を規制又は許可しており、
前記第２の調整ねじは、前記挿入ロッド部と前記支持パイプ部との挿入部分において、前記左右の首振り動作を規制又は許可している、
肘掛歩行器。
【請求項４】
車台と、肘掛部とを備えた肘掛歩行器であって、
前記車台は、車輪と、座椅子部と、支持パイプ部とを有しており、
前記座椅子部は、座面と、背もたれとを含み、
前記背もたれは、前記座面の前側位置及び後側位置の間で選択的に位置変更可能に設けられており、
前記肘掛部は、左右一対の肘掛と、左右一対のグリップ部と、左右一対のスライドロッド部と、左右一対の共通支持台とを有し、前記車台の上部に設けられており、
前記一対の肘掛は、上向きに窪んだ凹部を有し、該グリップ部の進行方向後方に設けられており、
前記一対のスライドロッド部は、対応する前記一対の肘掛において、該肘掛における前記凹部の延長方向に沿ってスライド可能に取り付けられており、
前記一対のグリップ部は、前記一対のスライドロッド部に取り付けられており、
前記一対の共通支持台は、前記肘掛及び前記グリップ部の双方を支持し、前記車台に対して上下及び／又は左右に首振り可能に設けられており、
前記車台の前記支持パイプ部は、前記一対のスライドロッド部及び前記一対の共通支持台を選択的且つ着脱可能に受け入れる、
肘掛歩行器。
【発明の詳細な説明】
【技術分野】
【０００１】
本発明は、肘掛歩行器に関するものである。
【背景技術】
【０００２】
従来より、歩行器の一つとして、左右一対の肘掛が設けられた、いわゆる肘掛歩行器がある。特許文献１には、かかる肘掛歩行器の一例が開示されている。通常、肘掛歩行器は、車台と、その上部に設けられた肘掛部とを備えている。車台は、複数のパイプ部材で構成されたフレームと、そのフレームの下部に設けられた車輪とを備えている。
【０００３】
しかしながら、従来の肘掛歩行器においては、歩行移動時に利用者の肘や腕が肘掛部からずれ落ち、利用者が肘掛部を脇に抱え込むようにして歩行を行わざるを得ないような場合があった。
【特許文献１】特開２００３−１２６１９２号公報
【発明の開示】
【発明が解決しようとする課題】
【０００４】
本発明は、上記に鑑みてなされたものであり、肘や腕を介して体重をかけても安定して歩行移動を行うことができる、肘掛歩行器を提供することを目的とする。
【課題を解決するための手段】
【０００５】
上述した課題を解決するため、本発明は、車輪を有する車台と、該車台の上部に設けられた肘掛部とを備えた肘掛歩行器であって、前記肘掛部は、左右一対のグリップ部と、該グリップ部の進行方向後方に設けられた左右一対の肘掛とを有し、前記一対の肘掛には、上向きに窪んだ凹部が形成されている。
【０００６】
前記一対のグリップ部は、対応する前記一対の肘掛に対して、該肘掛における前記凹部の延長方向に沿ってスライド可能である、ようにしてもよい。
【０００７】
前記肘掛部は、前記肘掛及びグリップ部の双方を支持する左右一対の共通支持台を有しており、前記一対の共通支持台は、前記車台に対して上下及び／又は左右に首振り可能に設けられている、ようにしてもよい。
【０００８】
前記車台は、座面及び背もたれを含む座椅子部を有しており、前記背もたれは、前記座面の前側位置及び後側位置の間で選択的に位置変更可能に設けられており、前記一対のグリップ部は、前記一対の共通支持台に対してスライド可能な一対のスライドロッド部に固定されており、前記車台はさらに、前記一対のスライドロッド部及び前記一対の共通支持台を選択的且つ着脱可能に受け入れる支持パイプ部を有する、ようにしてもよい。
【発明の効果】
【０００９】
上述した本発明によれば、肘や腕を介して体重をかけても安定して歩行移動を行うことができる。
【００１０】
また、一対のグリップ部が、対応する一対の肘掛に対して肘掛における凹部の延長方向に沿ってスライド可能である場合には、腕の長さや肘の位置など利用者の身体的特徴に合わせて、グリップ部と肘掛との最適な距離を実現することができる。
【００１１】
また、肘掛部が首振り可能に設けられている場合には、利用者の腕の曲がりや姿勢に合った肘掛の配置を実現することができ、腕や肘が肘掛凹部からはみ出したり、歩行中における前輪への重心移動を阻止し、前のめりになったりすることを防止することができる。
【００１２】
さらに、背もたれが位置変更可能であり、また、車台にグリップ部が固定されたスライドロッド部及び共通支持台を選択的且つ着脱可能に受け入れる支持パイプ部を有する場合には、安定した歩行移動を行うことが可能となった肘掛歩行器において、歩行補助器及び介助用車椅子への変形ができるようになっている。
【００１３】
なお、本発明の他の特徴及びそれによる作用効果は、添付図面を参照し、実施の形態によって更に詳しく説明する。
【発明を実施するための最良の形態】
【００１４】
以下、本発明に係る実施の形態を添付図面に基づいて説明する。なお、図中、同一符号は同一又は対応部分を示すものとする。
【００１５】
図１及び図２はそれぞれ、肘掛歩行器の斜視図及び側面図である。肘掛歩行器１は、車台３と、その上部に設けられた肘掛部５とを備えている。車台３は、主にパイプ状部材によって構成された下部フレーム７及び側部フレーム９を有している。下部フレーム７には、左右一対の前輪１１と、左右一対の後輪１３とが回転自在に設けられている。下部フレーム７の前端には、後述するように介助用車椅子として使用する場合の足置台を挿入するための挿入口１５が形成されている。
【００１６】
側部フレーム９は、側面視、三角形状に構成されており、そのほぼ中央には、座椅子部１７が設けられている。座椅子部１７は、座面１９と、背もたれ２１とを含んでいる。座面１９は、前後左右方向に所定の広さを持っており、側部フレーム９に架橋されている。背もたれ２１は、側部フレーム９に着脱可能に設けられ、しかも、その着脱位置が、座面１９の前側位置と座面１９の後側位置との何れかの位置に選択可能である。
【００１７】
側部フレーム９の後部には、サイドブレーキ２３が設けられている。さらに、側部フレーム９の頂部には、肘掛部５を支持する支持パイプ部２５が形成されている。
【００１８】
肘掛部５は、左右一対のグリップ部２７と、左右一対の肘掛２９と、左右一対の共通支持台３１とを有している。一対のグリップ部２７は、ほぼ上下方向に立ち上がった円柱状の部分である。一対の肘掛２９は、それぞれ対応する一対のグリップ部２７の進行方向後方に設けられている。肘掛２９はそれぞれ、凹部を有しており、その凹部は、開口が上方を指向するように配置されている。
【００１９】
共通支持台３１はそれぞれ、対応するグリップ部２７及び肘掛２９の双方を支持している。より詳細には、一対の共通支持台３１は管状部分３３を具備しており、一対の肘掛２９は対応する管状部分３３の上部に固定されている。
【００２０】
一方、一対のグリップ部２７は、その下部がスライドロッド部３５に固定されており、スライドロッド部３５は、対応する管状部分３３にスライド可能に挿入されている。管状部分３３の延長方向は、一対の肘掛２９の凹部２９ａの延長方向に沿っている。これにより、一対のグリップ部２７は、一対の共通支持台３１に対してスライド可能に支持されており、そのスライド方向は、肘掛２９の凹部２９ａに沿っている。スライドロッド部３５のスライド動作は、管状部分３３に取り付けられた調整ねじ３７によって規制・許可されている。なお、調整ねじ３７を緩めることで、スライドロッド部３５を管状部分３３から外すことも可能となっている。
【００２１】
一対の共通支持台３１はそれぞれ、車台３に対して上下方向及び左右方向に首振り可能に設けられている。より詳細には、一対の共通支持台３１はそれぞれ、挿入ロッド部３９を有しており、かかる挿入ロッド部３９には、管状部分３３との交差角度を変更できる構成と、挿入ロッド部３９の軸芯周りに管状部分３３を回転できる構成とを備えている。また、管状部分３３の上下方向及び左右方向の首振り動作はそれぞれ、調整ねじ４１及び４３によって規制・許可されている。
【００２２】
挿入ロッド部３９は、車台３における側部フレーム９の支持パイプ部２５に着脱可能に挿入されている。かかる支持パイプ部２５は、肘掛部５のスライドロッド部３５も着脱可能に受け入れることができる。すなわち、支持パイプ部２５は、スライドロッド部３５及び共通支持台３１の挿入ロッド部３９を選択的且つ着脱可能に受け入れることができる。スライドロッド部３５や挿入ロッド部３９のスライド動作・着脱は、側部フレーム９に設けられた調整ねじ９ａによって規制・許可されており、支持パイプ部２５に挿入した対象の位置・姿勢の調整や交換ができるようになっている。
【００２３】
また、グリップ部２７や肘掛２９の上下首振り中心は、図２から分るように前輪１１の後端と後輪１３の前端との間に位置している。さらに、本実施の形態では、肘掛部５と車台３との接続部である支持パイプ部２５もまた、前輪１１の後端と後輪１３の前端との間に位置している。
【００２４】
以上のように構成された本実施の形態に係る肘掛歩行器１によれば、一対の肘掛２９を一対のグリップ部２７の後方に設け、しかも、かかる一対の肘掛２９には上向きに窪んだ凹部２９ａが形成されているので、利用者は腕や肘を凹部２９ａに沈み込ませてグリップ部２７を把持することができ、歩行移動時に利用者の肘や腕が肘掛からずれ落ちることを防止することができる。よって、肘や腕を介して体重をかけても安定して歩行移動を行うことが可能となり、また、下半身への加重負担を抑制し、姿勢を保った歩行移動も可能となる。
【００２５】
さらに、左右一対の肘掛が水平状態や相互に平行な状態で固定され姿勢変更できない場合には、利用者の腕の曲がりや姿勢に合った肘掛の配置を実現することができず、また、利用者はグリップ部に頼りがちで体が自然と前のめりになり、前輪への加重により躓きや跳ね上がり転倒の恐れもあった。しかしながら、本実施の形態では、一対の肘掛２９が上下方向や左右方向に首振り可能であるので、利用者の腕の曲がりや姿勢に合った肘掛の配置を実現することができ、腕や肘が肘掛２９からはみ出したり、前のめりになったりすることを防止することができる。よって、肘掛２９の凹部２９ａの既述の作用と相俟って、体重をかけた歩行移動の安定性を一層高めることができた。
【００２６】
さらに、一対のグリップ部２７は、一対の肘掛２９に対して、肘掛２９における凹部２９ａの延長方向に沿ってスライド可能であるので、腕の長さや肘の位置など利用者の身体的特徴に合わせて、一対のグリップ部２７と一対の肘掛２９との最適な距離を実現することができる。これによっても、凹部２９ａの存在や肘掛２９の首振り機構と相俟って、体重をかけた歩行移動の安定性を一層高めることができる。
【００２７】
また、本実施の形態では、グリップ部２７の位置や肘掛２９の上下首振り中心が、前輪１１の後端と後輪１３の前端との間に位置している。このため、利用者からの加重が前輪１１及び後輪１３に分散し、躓きや跳ね上がり転倒を防止することができる。なお、かかる防止効果は、上述した肘掛２９及びグリップ部２７の相対距離調整機構や肘掛２９の首振り機構と組み合わされていることで、一層高められている。
【００２８】
また、これまで、肘掛歩行器は、本来の使用態様に限られ、他の用途に用いることは想定されていなかった。しかしながら、本実施の形態に係る肘掛歩行器１においては、図３に示す歩行補助器、図４に示す介助用車椅子への変形が可能となっている。しかも、上述したように安定した歩行移動を行うことが可能となった肘掛歩行器において、歩行補助器及び介助用車椅子への変形ができるようになっている。
【００２９】
図３に示される歩行補助器１ａへの変形は次のような手順で行われる。図２の肘掛歩行器１において、調整ねじ９ａを緩めて支持パイプ部２５から挿入ロッド部３９を取り外すと共に、調整ねじ３７を緩めて管状部分３３からスライドロッド部３５を取り外す。そして、図３に示されるように、一対のグリップ部２７が後方を指向するようにスライドロッド部３５を支持パイプ部２５に挿入することで、歩行補助器１ａへの変形を行うことができる。
【００３０】
また、図４に示される介助用車椅子１ｂへの変形は、上述した図２の肘掛歩行器１から図３の歩行補助器１ａへの変形操作に加えて、座椅子部１７における背もたれ２１を座面１９の前端側から後端側へと位置変更することによって実現する。
【００３１】
さらに、本実施の形態においては、肘掛部５と車台３との接続部である支持パイプ部２５もまた、前輪１１の後端と後輪１３の前端との間に位置していることから、利用者からの加重を前輪１１及び後輪１３に分散し、躓きや跳ね上がり転倒を防止する効果が、肘掛歩行器１だけでなく、歩行補助器１ａ及び介助用車椅子１ｂの全ての態様において得られる利点がある。
【００３２】
以上、好ましい実施の形態を参照して本発明の内容を具体的に説明したが、本発明の基本的技術思想及び教示に基づいて、当業者であれば、種々の改変態様を採り得ることは自明である。
【図面の簡単な説明】
【００３３】
【図１】本発明の実施の形態に係る肘掛歩行器の斜視図である。
【図２】本実施の形態に係る肘掛歩行器の側面図である。
【図３】本実施の形態の肘掛歩行器を変形した歩行補助器の側面図である。
【図４】本実施の形態の肘掛歩行器を変形した介助用車椅子の側面図である。
【符号の説明】
【００３４】
１                      肘掛歩行器
３                      車台
５                      肘掛部
１１                    前輪（車輪）
１３                    後輪（車輪）
１７                    座椅子部
１９                    座面
２１                    背もたれ
２５                    支持パイプ部
２７                    グリップ部
２９                    肘掛
２９ａ                  凹部
３１                    共通支持台
３５                    スライドロッド部
【図１】
0004488364.tif 000002
【図２】
0004488364.tif 000003
【図３】
0004488364.tif 000004
【図４】
0004488364.tif 000005